(57)【要約】【課題】壁高欄２において、そのひび割れを誘発させるためのシーリングされた目地３を円滑に形成する。【解決手段】目地３の奥にバックアップ材１１を設け、そのバックアップ材の表面にコーキング材２０を充填して目地材３０（シーリングされた目地３）を構成する。その目地形成用面木Ａは、前記コーキング材２０が充填される部分と同形状の補助材１２と、前記バックアップ材１１とで構成し、そのバックアップ材１１の表面には前記補助材１２を接着する接着層１３ａを有して、その接着層１３ａは前記補助材１２をバックアップ材１１から剥がしてもそのバックアップ材１１側にある構成とする。この面木Ａを型枠に設けてコンクリートを打設し、コンクリートの硬化後、面木Ａをコンクリート内に残して脱型し、前記補助材１２をバックアップ材１１から剥がした後、そのバックアップ材１１の表面にコーキング材２０を充填して目地材３０をなす。【選択図】図３
2017106237.tif 000002
【特許請求の範囲】
【請求項１】
目地（３）の奥にバックアップ材（１１）が設けられ、そのバックアップ材（１１）の表面にコーキング材（２０）が充填されて、前記バックアップ材（１１）とコーキング材（２０）とで目地材（３０）が構成されるための目地材兼用面木（Ａ）であって、
上記バックアップ材（１１）と、そのバックアップ材（１１）の表面に接着層（１３ａ）を介して接着された、前記コーキング材（２０）が充填される部分と同形状の補助材（１２）とからなり、前記接着層（１３ａ）のバックアップ材（１１）側の接着強度は、前記補助材（１２）をバックアップ材（１１）から剥がしてもそのバックアップ材（１１）側に接着層（１３ａ）が位置するようになっている目地材兼用面木。
【請求項２】
目地（３）の奥にバックアップ材（１１）が設けられ、そのバックアップ材（１１）の表面にコーキング材（２０）が充填されて、前記バックアップ材（１１）とコーキング材（２０）とで目地材（３０）が構成され、そのバックアップ材（１１）の前記表面には前記コーキング材（２０）を接着する接着層（１３ａ）が形成されている目地構造。
【請求項３】
上記目地（３）が壁高欄（２）のそのひび割れを誘発させるためのものである請求項２に記載の目地構造。
【請求項４】
請求項１記載の目地材兼用面木（Ａ）を型枠に設けてその型枠内にコンクリートを打設し、コンクリートの硬化後、前記型枠を脱型し、上記補助材（１２）をバックアップ材（１１）から剥がした後、そのバックアップ材（１１）の表面に前記コーキング材（２０）を充填して請求項２又は３に記載の目地構造を構成する目地の形成方法。
【請求項５】
上記目地（３）が壁高欄（２）のそのひび割れを誘発させるためのものである請求項４に記載の目地の形成方法。
【発明の詳細な説明】
【技術分野】
【０００１】
この発明は、コンクリート構造物（鉄筋コンクリート構造物を含む）の目地構造、その目地構造の形成方法、及びその形成に使用する目地材兼用面木に関するものである。
【背景技術】
【０００２】
目地は、建築物や土木構造物において、少し間隔を空けた部材間の隙間・継ぎ目の部分を言い、その目地部分には目地材が設けられて（充填されて）その構造物の伸縮を吸収して全体の劣化を防止する役目を果す。
例えば、自動車専用道路や高速鉄道等において設置される壁高欄は、国土交通省等の仕様書で、延長（長さ方向）１０ｍに一個所、収縮目地として深さ３０ｍｍのＶカット溝を壁面に設けるように規定されている（図１の符号：３（３０）参照）。そのＶカット溝状のＶカット目地３は、温度変化等による壁高欄への応力を集中させてひび割れを生じさせ、壁高欄全体の劣化を防止する（特許文献１、要約、図１参照）。
従来、そのＶカット目地３には何の詰め物もなされていなかったが、防水性等の点から、シーリングがなされるようになった。そのシーリングは、変成シリコーン等のコーキング材をそのＶカット目地内に充填することによって行っている。
【先行技術文献】
【特許文献】
【０００３】
【特許文献１】特開２０１３−２２７７２２号公報
【特許文献２】特開２０１３−２２２７号公報
【発明の概要】
【発明が解決しようとする課題】
【０００４】
上記壁高欄におけるシーリングは、上下方向のＶカット目地３内にコーキング材を充填するため、コーキング材が垂れてＶカット目地３内に円滑に充填されず、その作業性が悪い。また、変成シリコーン等のコーキング材は高価である上に、工賃も高いため、コスト的な問題がある。
ところで、建築分野において、目地にバックアップ材を詰め込み、その表面にシーリング材を装填する技術がある（特許文献２、要約、図１参照）。しかし、この技術においても、目地が上下方向の場合、シーリング材が垂れてその充填が円滑でない問題がある。
【０００５】
この発明は、以上の実状の下、作業性が良く、かつ安価な目地構造等とすることを課題とする。
【課題を解決するための手段】
【０００６】
上記課題を達成するため、この発明は、上記バックアップ材表面にシーリング材となるコーキング材の接着層を設けることとしたのである。
このように接着層を設ければ、Ｖカット溝等の目地内に設けたバックアップ材の表面にコーキング材を設けてその目地内に充填する際、そのコーキング材が前記接着層によって接着固定されるため、垂れ下がることが極力抑制される。このため、円滑な充填を行うことができて作業性が高いものとなる。
【０００７】
この発明に係る目地構造の具体的な構成としては、目地の奥にバックアップ材が設けられ、そのバックアップ材の表面にコーキング材が充填されて、前記バックアップ材とコーキング材とで目地材が構成され、そのバックアップ材の前記表面には前記コーキング材を接着する接着層が形成されている構成を採用することができる。
この構成の目地構造は、建築物や土木構造物において採用することができ、後者においては、壁高欄のそのひび割れを誘発させるための目地等に採用することができる。
【０００８】
上記各構成の目地構造の形成は、従来と同様に、まず、目地棒（面木）を型枠に設けてコンクリートを打設し、つぎに、コンクリートの硬化後、前記型枠を脱型して前記目地棒を外して目地を形成し、その目地の奥にバックアップ材を設け、そのバックアップ材の表面にコーキング材を充填することができる。このとき、バックアップ材の表面に接着剤を塗布したり、両面テープを貼付したりして接着層を形成する。また、例えば、前記バックアップ材と、そのバックアップ材の表面に接着層を介して接着された、前記コーキング材が充填される部分と同形状の補助材とからなり、前記接着層のバックアップ材側の接着強度は、前記補助材をバックアップ材から剥がしてもそのバックアップ材側に接着層が位置するようになっている目地材兼用面木とすれば、この面木を型枠に設けてコンクリートを打設すれば、この面木をコンクリート内に残して脱型し、前記補助材をバックアップ材から剥がした後、そのバックアップ材の表面に前記コーキング材を充填して上記目地材（目地構造）を構成するものとすることができる。
この形成方法も、同様に、建築物や土木構造物において採用することができ、後者においては、壁高欄のそのひび割れを誘発させるための目地等に採用することができる。
【発明の効果】
【０００９】
この発明は、以上のように構成したので、作業性がよく、かつ安価な目地とすることができる。
【図面の簡単な説明】
【００１０】
【図１】この発明に係る目地材兼用面木の一実施形態の要部切断斜視図
【図２】図１のＩ−Ｉ線切断要部断面図
【図３】同実施形態の作用説明用部分斜視図
【図４】同実施形態の目地材兼用面木を示し、（ａ）は要部斜視図、（ｂ）は分解要部斜視図、（ｃ）は平面図
【図５】他の各実施形態の切断要部断面図
【発明を実施するための形態】
【００１１】
この発明に係る目地構造は、自動車専用高架道路の壁高欄に採用し、この道路は、従来と同様に、コンクリート製基礎床版１の両側にコンクリート製壁高欄２を構築したものであって、その壁高欄２のひび割れを誘発させるための目地３に採用したものである。目地３は、延長（長さ方向）１０ｍ間隔に一個所設ける。
【００１２】
その目地３を形成するための面木（目地棒）Ａは、図４に示すように、平面視、底辺ａ：６０ｍｍ、高さｈ：３０ｍｍの直角二等辺三角形をして（同図（ｃ）参照）、発泡ポリエチレン（ＰＥ）からなる。この面木Ａは、バックアップ材１１となる部材と、その部材１１から剥ぎ取られる補助材１２となる部材からなり、両部材１１、１２は両面テープ１３によって接着されて面木Ａを構成している。面木Ａの平面視の底面（面ズラ）にも離型紙１４付の両面テープ１５が貼着されている。補助材１２の高さｈ１は、任意であり、例えば、７〜１０ｍｍとし、この実施形態ではｈ１＝１０ｍｍとした。
【００１３】
上記バックアップ材１１と補助材１２との間の両面テープ１３のバックアップ材１１側にはプライマリー処理を施し、そのバックアップ材１１側の接着強度を高めている。このため、図４（ａ）の両部材１１、１２が接合している状態から、同図（ｂ）に示すように、両部材１１、１２を剥がすと、両面テープ１３はバックアップ材１１側に残ってその表面に接着層１３ａが形成される。
【００１４】
この面木Ａで、図１、図２に示す壁高欄２の目地３を構築するには、従来と同様に、基礎床版１を構築後、壁高欄２の構築用型枠（図示せず）を設置するとともに、目地３の形成個所に対応する型枠部分に、面木Ａの離型紙１４を剥がし（図４（ｂ）参照）、両面テープ１５からなる接着層でもってその面木Ａを固定する。
【００１５】
この状態で、型枠内にコンクリートを打設して、図３（ａ）に示す壁高欄２を形成する。そのコンクリートの硬化後、脱型し、面木Ａの補助材１２を剥ぎ取る（除去する）とともに、その補助材１２の剥ぎ取られたバックアップ材１１の露出する上下端を所要長さ切除する（図３（ａ）から同図（ｂ）参照）。その脱型時、型枠とともに補助材１２が両面テープ１５を介して剥ぎ取られる場合もある。
その補助材１２の剥ぎ取られたスペースＳに、図３（ｃ）に示すように、変成シリコーン製コーキング材２０を充填する。このとき、バックアップ材１１の表面には両面テープ１３によって接着層１３ａが形成されているため、その接着層１３ａでもってバックアップ材１１にコーキング材２０が捕捉されて垂れ下がることが抑制される。このため、熟練を要さずに、コーキング材２０による目地３のシーリングを行うことができる。
【００１６】
この実施形態の面木Ａによって壁高欄２の目地材３０の充填された目地３を形成した場合の１ｍ当たりの施工単価は、約３５００円／ｍであるのに対し、従来の面木でもってＶカット溝を形成し、そのＶカット溝に変成シリコーン製コーキング材２０を充填して目地３を形成した場合、同５０００円／ｍとなり、大幅なコスト削減ができた。
【００１７】
面木Ａの断面形状は、上記の三角形に限らず、四角形等と任意である。例えば、図５（ａ）〜（ｃ）に示すように、補助材１２が台形、バックアップ材１１がその台形の上辺を一辺とする四方形（同図（ａ））としたり、補助材１２が台形、バックアップ材１１がその台形の上辺の一部を一辺とする三角形（同図（ｂ））としたり、補助材１２が台形、バックアップ材１１がその台形の上辺一部を底辺とする台形（同図（ｃ））としたり等と、目地３を形成し得る断面形状・大きさ・寸法であれば任意である。このとき、補助材１２の表面に接着層１５を介して離型紙１４を設け得ることは勿論である。
【００１８】
上記実施形態において、面木Ａの材質は発泡ポリエチレン（ＰＥ）以外の樹脂や木等が採用できることは勿論であり、また、接着層１３ａも、接着材の塗布等の両面テープ１３以外で形成することができることは勿論である。さらに、この発明は、上記壁高欄２のみならず他のコンクリート製土木構造物にも採用できるとともに、各種のビルディング等のコンクリート製建築物においても採用し得る。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００１９】
Ａ  目地材兼用面木（目地棒）
１  床版
２  壁高欄
３  目地
１１  面木のバックアップ材（一方の部材）
１２  同補助材（同他方の部材）
１３  両面テープ
１３ａ  接着層
１４  離型紙
１５  両面テープ（接着層）
２０  コーキング材
３０  目地材
【図１】
2017106237.tif 000003
【図２】
2017106237.tif 000004
【図３】
2017106237.tif 000005
【図４】
2017106237.tif 000006
【図５】
2017106237.tif 000007